(57)【特許請求の範囲】
【請求項１】
プログレシブ走査方式の１画面分の映像信号を、インターレース駆動パネルの画面の１フィールド分の映像信号に変換する変換手段と、
奇数フィールドと偶数フィールドとで、水平同期信号と垂直同期信号との間の位相差が異なる水平同期信号及び垂直同期信号を作成する作成手段と、
インターレース走査方式の入力映像信号を、１フィールド分の映像信号をプログレシブ走査方式の１画面分の映像信号として前記変換手段に取り込ませる制御手段と
を有するスキャンコンバータを用いて入力映像信号を変換する際に、インターレース駆動パネルに供給するフィールド反転パルスを作成する装置において、
前記スキャンコンバータにインターレース走査方式の映像信号が入力された場合には、該映像信号中の水平同期信号及び垂直同期信号の位相に基づいてフィールド反転パルスを作成し、
前記スキャンコンバータにプログレシブ走査方式の映像信号が入力された場合には、前記作成手段で作成された水平同期信号及び垂直同期信号の位相に基づいてフィールド反転パルスを作成する
インターレース駆動パネル用フィールド反転パルス作成装置。
【請求項２】
請求項１に記載のインターレース駆動パネル用フィールド反転パルス作成装置において、
前記スキャンコンバータへの入力映像信号の垂直走査周波数及び水平走査周波数に基づいて該入力映像信号の走査方式を判別する判別手段をさらに備えた
インターレース駆動パネル用フィールド反転パルス作成装置。
【請求項３】
請求項１に記載のインターレース駆動パネル用フィールド反転パルス作成装置において、
それぞれ特定の規格の映像信号に対応した複数の入力端子のうちのいずれかの入力端子から入力される映像信号を選択するかに基づいて、前記スキャンコンバータへの入力映像信号の走査方式を判別する判別手段をさらに備えた
インターレース駆動パネル用フィールド反転パルス作成装置。
【発明の詳細な説明】
【０００１】
【発明の属する技術分野】
本発明は、インターレース駆動パネルに供給するフィールド反転パルスを作成する装置に関する。
【０００２】
【従来の技術】
インターレース駆動技術を採用したプラズマディスプレイパネル（ＰＤＰ）が登場している。現在登場しているこのインターレース駆動方式のＰＤＰは、垂直方向のライン数（走査線数）が例えば１０２４本であり、インターレース走査方式で動画像を表示する際には、最初に１ライン目，３ライン目，…１０２３ライン目の５１２ラインが走査され（奇数フィールド走査）に、次に２ライン目，４ライン目，…１０２４ライン目の５１２ラインが走査される（偶数フィールド走査）ことにより、１画面分（１フレーム分）の映像が表示される。
【０００３】
また、このインターレース駆動方式のＰＤＰはプログレシブ走査方式（順次走査方式）で映像（一般に静止画像）を表示することもでき、その際には、片方のフィールドの５１２ラインが走査されることにより、１画面分の映像が表示される。
【０００４】
図８に示すように、このインターレース駆動方式のＰＤＰ１０に映像を表示させるには、原色信号（８ビットのデジタル信号）Ｒ，Ｇ，Ｂと、水平同期信号Ｈ，垂直同期信号Ｖ，ブランキングパルスＢＬＫと、動作クロックとをＰＤＰ１０に供給する必要がある。
【０００５】
さらに、このＰＤＰ１０にインターレース走査方式で映像を表示させるには、図８に示すように、フィールド反転パルスをＰＤＰ１０に供給する必要がある。このフィールド反転パルスは、現在供給中の原色信号が奇数フィールドの信号（すなわちＰＤＰ１０の画面の１ライン目，３ライン目，…１０２３ライン目を走査するための信号）か偶数フィールドの信号（すなわち２ライン目，４ライン目，…１０２４ライン目を走査するための信号）であるかに応じてレベルの反転するパルス信号である。ＰＤＰ１０は、供給された原色信号のうちの奇数フィールドの信号と偶数フィールドの信号とをこのフィールド反転パルスを用いて識別することにより、奇数フィールド走査時には奇数フィールドの信号で画面の１ライン目，３ライン目，…１０２３ライン目を走査し、偶数フィールド走査時には偶数フィールドの信号で２ライン目，４ライン目，…１０２４ライン目を走査する。
【０００６】
ＰＤＰ１０に供給されるこれらの信号のうち、フィールド反転パルスは、プログレシブ駆動方式の表示パネルでは必要のなかったものであり、インターレース駆動方式のＰＤＰにおいてはじめて必要となったものである。しかし、このフィールド反転パルスをどのように作成するかという点については、従来は十分な検討がされていなかった。
【０００７】
【発明が解決しようとする課題】
この点については、外部からの入力映像信号の走査方式がインターレース走査方式とプログレシブ走査方式とのいずれであるかという要素や、その入力映像信号がスキャンコンバータでどのようにしてインターレース走査方式に変換されるのかという要素を考慮にいれなければ、正確なフィールド反転パルスを作成することはできないと考えられる。
【０００８】
本発明は、上述の点に鑑み、インターレース駆動方式のＰＤＰのようなインターレース駆動技術を採用した表示パネル（「インターレース駆動パネル」と呼ぶことにする）に供給するフィールド反転パルスを、外部からの入力映像信号の走査方式やその変換方式を応じて正確に作成することのできる装置を提供することを課題としてなされたものである。
【０００９】
【課題を解決するための手段】
この課題を解決するために、本出願人は、請求項１に記載のように、プログレシブ走査方式の１画面分の映像信号を、インターレース駆動パネルの画面の１フィールド分の映像信号に変換する変換手段と、奇数フィールドと偶数フィールドとで、水平同期信号と垂直同期信号との間の位相差が異なる水平同期信号及び垂直同期信号を作成する作成手段と、インターレース走査方式の入力映像信号を、１フィールド分の映像信号をプログレシブ走査方式の１画面分の映像信号としてこの変換手段に取り込ませる制御手段とを有するスキャンコンバータを用いて入力映像信号を変換する際に、インターレース駆動パネルに供給するフィールド反転パルスを作成する装置において、このスキャンコンバータにインターレース走査方式の映像信号が入力された場合には、この映像信号中の水平同期信号及び垂直同期信号の位相に基づいてフィールド反転パルスを作成し、他方、このスキャンコンバータにプログレシブ走査方式の映像信号が入力された場合には、スキャンコンバータ中の作成手段で作成された水平同期信号及び垂直同期信号の位相に基づいてフィールド反転パルスを作成するインターレース駆動パネル用フィールド反転パルス作成装置を提案する。
【００１０】
このフィールド反転パルス作成装置は、プログレシブ走査方式の１画面分の映像信号を、インターレース駆動パネルの画面の１フィールド分の映像信号に変換する変換手段と、奇数フィールドと偶数フィールドとで、水平同期信号と垂直同期信号との間の位相差が異なる水平同期信号及び垂直同期信号を作成する作成手段と、インターレース走査方式の入力映像信号を、１フィールド分の映像信号をプログレシブ走査方式の１画面分の映像信号としてこの変換手段に取り込ませる制御手段とを有するスキャンコンバータを用いて入力映像信号を変換することを前提として提案するものである。
【００１１】
このスキャンコンバータには、プログレシブ走査方式の１画面分の映像信号をインターレース駆動パネルの画面の１フィールド分の映像信号に変換する変換手段が備えられている。したがって、プログレシブ走査方式の映像信号が入力されると、最初の１画面分の映像信号が、インターレース駆動パネルの画面の奇数フィールドの映像に変換され、次の１画面分の映像信号が、インターレース駆動パネルの画面の偶数フィールドの映像信号に変換され、…というように、この入力映像信号のうちの奇数番目，偶数番目の画面の映像信号が、変換手段により、それぞれインターレース駆動パネルの画面の奇数フィールド，偶数フィールドの映像信号に変換される。
【００１２】
また、このスキャンコンバータには、スキャンコンバータから出力される映像信号のうちの奇数フィールドの映像信号と偶数フィールドの映像信号とを区別するために、奇数フィールドと偶数フィールドとで、水平同期信号と垂直同期信号との間の位相差が異なる水平同期信号及び垂直同期信号を作成する作成手段が備えられている。
【００１３】
また、このスキャンコンバータには、インターレース走査方式の入力映像信号を、１フィールド分の映像信号をプログレシブ走査方式の１画面分の映像信号としてこの変換手段に取り込ませる制御手段が備えられている。したがって、インターレース走査方式の映像信号が入力されると、この入力映像信号のうちの奇数フィールド，偶数フィールドの映像信号が、変換手段により、それぞれインターレース駆動パネルの画面の奇数フィールド，偶数フィールドの映像信号に変換される。
【００１４】
本発明に係るフィールド反転パルス作成装置では、このスキャンコンバータにインターレース走査方式の映像信号が入力された場合には、スキャンコンバータ中の作成手段で作成されてスキャンコンバータから出力される水平同期信号及び垂直同期信号ではなく、入力映像信号中の水平同期信号及び垂直同期信号の位相に基づいてフィールド反転パルスを作成する。
【００１５】
その理由は、次の通りである。インターレース走査方式の映像信号がこのスキャンコンバータに入力された場合には、入力映像信号の垂直走査周波数とスキャンコンバータから出力される映像信号の垂直走査周波数とのずれを原因とする動画像の追い越しノイズの発生を防止するために、スキャンコンバータから出力される映像信号の垂直走査周波数を、入力映像信号の垂直走査周波数に一致させる必要がある。したがって、この場合には、スキャンコンバータ中の作成手段で作成する垂直同期信号Ｖを、この入力映像信号中の垂直同期信号に同期させる必要がある（「Ｖ同期」）。
【００１６】
しかし、このＶ同期をかけると、スキャンコンバータ中の作成手段で作成される水平同期信号及び垂直同期信号の位相に影響が及ぶ（例えば奇数フィールドと偶数フィールドとの両方でこの水平同期信号と垂直同期信号との位相が揃ってしまう）ことにより、スキャンコンバータから出力される水平同期信号及び垂直同期信号の位相に基づいては奇数フィールドと偶数フィールドとを区別できなくなる事態が生じ得る。
【００１７】
また、この場合には、Ｖ同期をかけたことにより、スキャンコンバータから出力されてインターレース駆動パネルに供給される映像信号の垂直走査周波数が入力映像信号の垂直走査周波数に一致している。また、入力映像信号のうちの奇数フィールド，偶数フィールドの映像信号は、スキャンコンバータ中の変換手段でもそれぞれインターレース駆動パネルの画面の奇数フィールド，偶数フィールドの映像信号に変換される。そして、外部から入力されるインターレース走査方式の映像信号であるＨＤＴＶ（高精細度テレビジョン）方式の映像信号やＮＴＳＣ方式の映像信号でも、周知のように、２：１インターレース走査を行うので、奇数フィールドと偶数フィールドとで水平同期信号及び垂直同期信号の位相が異なっている。したがって、入力映像信号中の水平同期信号と垂直同期信号との間の位相差に基づいて、正確なフィールド反転パルスを作成することができる。
【００１８】
他方、このフィールド反転パルス作成装置では、スキャンコンバータにプログレシブ走査方式の映像信号が入力された場合には、スキャンコンバータ中の作成手段で作成されてスキャンコンバータから出力される水平同期信号及び垂直同期信号の位相に基づいてフィールド反転パルスを作成する。
【００１９】
その理由は、次の通りである。プログレシブ走査方式の映像信号（一般に静止画像の信号）がスキャンコンバータに入力された場合には、動画像の追い越しノイズを考慮する必要がないので、Ｖ同期をかけない。したがって、この場合には、スキャンコンバータから出力されてインターレース駆動パネルに供給される映像信号の垂直走査周波数と入力映像信号の垂直走査周波数とが一致しないので、入力映像信号中の水平同期信号及び垂直同期信号の位相に基づいては、現在インターレース駆動パネルに供給中の映像信号が奇数フィールドの信号か偶数フィールドの信号かを識別するためのフィールド反転パルスを正確に作成することはできない。
【００２０】
また、この場合には、Ｖ同期をかけないので、スキャンコンバータ中の作成手段で作成されてスキャンコンバータから出力される水平同期信号及び垂直同期信号には、奇数フィールドと偶数フィールドとを区別できる位相ずれが存在している。したがって、この場合には、スキャンコンバータ中の作成手段で作成されてスキャンコンバータから出力される水平同期信号及び垂直同期信号の位相に基づいて基づいて、正確なフィールド反転パルスを作成することができる。
【００２１】
このようにして、本発明に係るフィールド反転パルス作成装置によれば、本発明が前提とするスキャンコンバータでインターレース走査方式の入力映像信号とプログレシブ走査方式の入力映像信号とのいずれが変換される場合にも、現在インターレース駆動パネルに供給中の映像信号が奇数フィールドの信号か偶数フィールドの信号かを識別するためのフィールド反転パルスを、正確に作成することができる。
【００２２】
なお、この請求項１に記載のフィールド反転パルス作成装置において、一例として請求項２に記載のように、スキャンコンバータへの入力映像信号の垂直走査周波数及び水平走査周波数に基づいてその入力映像信号の走査方式を判別する判別手段をさらに備えることが好適である。
【００２３】
それにより、スキャンコンバータへの入力映像信号の走査方式を誤りなく判別してフィールド反転パルスを作成できるようになる。
【００２４】
あるいはまた、この請求項１に記載のフィールド反転パルス作成装置において、請求項３に記載のように、それぞれ特定の規格の映像信号に対応した複数の入力端子のうちのいずれかの入力端子から入力される映像信号を選択するかに基づいてスキャンコンバータへの入力映像信号の走査方式を判別する判別手段を備えることも好適である。
【００２５】
それにより、やはり、スキャンコンバータへの入力映像信号の走査方式を誤りなく判別してフィールド反転パルスを作成できるようになる。
【００２６】
また、プログレシブ走査方式の映像信号は一般には静止画像の信号であるが、例外的にプログレシブ走査方式の動画像信号も存在しており、この動画像信号がスキャンコンバータに入力された場合には、やはり追い越しノイズの発生を防止するためにスキャンコンバータでＶ同期をかける必要がある。そこで、プログレシブ走査方式の動画像信号を一般のプログレシブ走査方式の映像信号とは異なる入力端子から入力させることにより、その入力端子から入力される映像信号が選択された場合に、判別手段に、入力映像信号の走査方式をインターレース走査方式と判別させることも可能になる。これにより、プログレシブ走査方式の動画像信号がスキャンコンバータに入力された場合に、インターレース走査方式の映像信号がスキャンコンバータに入力された場合と同じく、入力映像信号中の水平同期信号及び垂直同期信号の位相に基づいて正確なフィールド反転パルスを作成することができるようになる。
【００２７】
【発明の実施の形態】
以下では、図８に示したインターレース駆動方式のＰＤＰ１０に本発明を適用した例を説明する。
図１は、外部からの入力映像信号に基づき、このＰＤＰ１０に供給する信号を作成する信号処理系の構成例を示すブロック図である。
【００２８】
ＶＴＲから出力されたコンポジット信号Ｖｉｄｅｏを入力するための入力端子ｉ１と、輝度信号Ｙと搬送色信号Ｃとを分離して出力する機能を有するＶＴＲから出力された輝度信号及び搬送色信号Ｙ／Ｃを入力するための入力端子ｉ２と、パーソナルコンピュータから出力された原色信号ＲＧＢを入力するための入力端子ｉ３と、放送局から受信したコンポーネント信号ＹＵＶ（Ｕ，Ｖは色差信号であり、ＮＴＳＣ方式ではそれぞれＩ，Ｑ、それ以外の方式ではそれぞれＲ−Ｙ，Ｂ−Ｙ）を入力するための入力端子ｉ４とから入力された映像信号が、４入力１出力のセレクタ１のそれぞれ別々の入力端に送られる。
【００２９】
セレクタ１は、各入力端子ｉ１〜ｉ４のうちの１つの入力端子から入力された映像信号を、この信号処理系に入力させる映像信号として選択するものであり、選択された入力映像信号は、映像処理・色再生回路２に送られる。
【００３０】
映像処理・色再生回路２は、セレクタ１から送られる映像信号に対してその信号の方式に応じた処理を行うことにより原色信号Ｒ，Ｇ，Ｂ，水平同期信号Ｈ，垂直同期信号Ｖを出力するものであり、水平同期信号及び垂直同期信号を分離する同期分離回路や、コンポジット信号から輝度信号と搬送色信号とを分離するくし形フィルタや、搬送色信号から色差信号を再生する復調回路や、輝度信号及び色差信号から原色信号を作成するマトリクス回路や、インターレース走査方式の映像信号の水平走査周波数を２倍にする倍速変換回路や、ＨＤＴＶ方式の映像信号を復号化するＭＵＳＥデコーダ等の周知の回路から成っている。
【００３１】
映像処理・色再生回路２から出力された原色信号Ｒ，Ｇ，Ｂは、スキャンコンバータ３に送られる。また、映像処理・色再生回路２から出力された水平同期信号Ｈ，垂直同期信号Ｖと、外部から入力端子ｉ５，ｉ６を介してこの信号処理系に入力される水平同期信号Ｈ，垂直同期信号Ｖとのうちの一方が、セレクタ４で選択されてスキャンコンバータ３及びインターフェース回路５に送られる。
【００３２】
スキャンコンバータ３は、複数（例えば４つとする）のフィールドメモリ１１，１２，１３，１４と、これらのフィールドメモリを制御するメモリコントローラ１５と、ライン数変換のための補間処理を行うデジタルフィルタ１６と、スキャンコンバータ３の各部を制御するとともにこの信号処理系全体を制御するマイクロコンピュータ１７とを含んでいる。スキャンコンバータ３は、映像処理・色再生回路２から送られた原色信号Ｒ，Ｇ，Ｂを、ＰＤＰ１０に合わせたライン数，走査方式の信号（８ビットのデジタル信号）に変換するものであり、次の（ａ）〜（ｃ）の３通りの変換モードを有している。
【００３３】
（ａ）プログレシブ走査方式の原色信号Ｒ，Ｇ，Ｂのそれぞれについて、最初の１画面目の各ラインＬ１，Ｌ２，…の信号を、図２Ａに示すように、各フィールドメモリ１１，１２，１３，１４に１ライン分ずつ交互に書き込む。そして、フィールドメモリ１１，１２，１３，１４に取り込んだ４ライン分ずつの信号にライン数変換比に応じた重み付けをして補間処理を行うことにより、図２Ｂに示すように、ＰＤＰ１０の画面のラインＬ’１，ラインＬ’３，…ラインＬ’１０２３の位置での映像を示す奇数フィールドの信号を作成する。
【００３４】
続いて２画面目の各ラインＬ１，Ｌ２，…の信号を、やはり図２Ａに示すように、各フィールドメモリ１１，１２，１３，１４に１ライン分ずつ交互に書き込む。そして、フィールドメモリ１１，１２，１３，１４に取り込んだ４ライン分ずつの信号にライン数変換比に応じた重み付けをして補間処理を行うことにより、図２Ｃに示すように、今度はＰＤＰ１０の画面のラインＬ’２，ラインＬ’４，…ラインＬ’１０２４の位置での映像を示す偶数フィールドの信号を作成する。
【００３５】
以下同様にして、奇数番目，偶数番目の画面の各ラインＬ１，Ｌ２，…の信号を、それぞれＰＤＰ１０の画面の奇数フィールド，偶数フィールドのライン位置での映像を示す信号に変換する。
【００３６】
（ｂ）インターレース走査方式の原色信号Ｒ，Ｇ，Ｂのそれぞれについて、図３に示すように、最初の１フレーム分の信号のうち、奇数フィールドの各ラインＬ１，Ｌ３，…の信号を各フィールドメモリ１１，１２に１ライン分ずつ交互に取り込み、偶数フィールドの各ラインＬ２，Ｌ４，…の信号を各フィールドメモリ１３，１４に１ライン分ずつ交互に取り込む。そして、フィールドメモリ１１，１２、１３，１４に取り込んだ４ライン分ずつの信号にライン数変換比に応じた重み付けをして補間処理を行うことにより、ＰＤＰ１０の画面の奇数フィールド及び偶数フィールドのライン位置での映像を示す信号を作成する。
【００３７】
以下同様にして、１フレーム分のインターレース走査方式の入力信号毎に、ＰＤＰ１０の画面の奇数フィールド及び偶数フィールドのライン位置での映像を示す信号を作成する（すなわち、インターレース走査方式の信号に対し、フレーム単位でライン数変換を行う）。
【００３８】
（ｃ）インターレース走査方式の原色信号Ｒ，Ｇ，Ｂのそれぞれについて、やはり図３に示すように、１フレーム分の信号のうち、奇数フィールドの各ラインＬ１，Ｌ３，…の信号を各フィールドメモリ１１，１２に１ライン分ずつ交互に取り込み、偶数フィールドの各ラインＬ２，Ｌ４，…の信号を各フィールドメモリ１３，１４に１ライン分ずつ交互に取り込む。そして、フィールドメモリ１１，１２に取り込んだ２ライン分ずつの信号にライン数変換比に応じた重み付けをして補間処理を行うことにより、ＰＤＰ１０の最初の１画面目のプログレシブ走査方式の信号を作成する。続いて、フィールドメモリ１３，１４に取り込んだ２ライン分ずつの信号にライン数変換比に応じた重み付けをして補間処理を行うことにより、ＰＤＰ１０の２画面目のプログレシブ走査方式の信号を作成する。
【００３９】
以下同様にして、１フィールド分のインターレース走査方式の入力信号毎に、ＰＤＰ１０の１画面分のプログレシブ走査方式の信号を作成する（すなわち、インターレース走査方式の信号に対し、フィールド単位でライン数変換及びプログレシブ走査方式への変換を行う）。
【００４０】
ただし、後述するように、マイクロコンピュータ１７は、映像処理・色再生回路２からインターレース走査方式の原色信号Ｒ，Ｇ，Ｂが送られた場合にも、スキャンコンバータ３を変換モード（ａ）で動作させるようになっている。
【００４１】
映像処理・色再生回路２から送られた原色信号Ｒ，Ｇ，Ｂがスキャンコンバータ３で変換される際に、マイクロコンピュータ１７は、水平同期信号Ｈ及び垂直同期信号Ｖを作成する。インターレース走査方式への変換を行う場合には、この水平同期信号Ｈと垂直同期信号Ｖとの間の位相差は、奇数フィールドの原色信号Ｒ，Ｇ，Ｂと偶数フィールドの原色信号Ｒ，Ｇ，Ｂとを区別するために、奇数フィールドと偶数フィールドとで異なった位相差にされる。
【００４２】
これらの原色信号Ｒ，Ｇ，Ｂ，水平同期信号Ｈ，垂直同期信号Ｖは、動作クロックとともにスキャンコンバータ３からインターフェース回路５に送られる。インターフェース回路５は、ＰＬＤ（Programmable Logic Device ）から成っており、スキャンコンバータ３から送られた原色信号Ｒ，Ｇ，Ｂに対して、ＣＲＴでの表示を前提としたガンマ補正を相殺する逆ガンマ処理や、キャラクター信号を挿入する処理を行う。
【００４３】
インターフェース回路５で処理された原色信号Ｒ，Ｇ，Ｂは、水平同期信号Ｈ，垂直同期信号Ｖ，ブランキングパルスＢＬＫ，動作クロックとともに、ＰＤＰ１０に供給される。
【００４４】
また、インターフェース回路５は、スキャンコンバータ３からインターレース走査方式の原色信号Ｒ，Ｇ，Ｂが送られた場合には、図４Ａに示すような、現在ＰＤＰ１０に供給中の原色信号が奇数フィールドの信号（すなわちＰＤＰ１０の画面の１ライン目，３ライン目，…１０２３ライン目を走査するための信号）か偶数フィールドの信号（すなわち２ライン目，４ライン目，…１０２４ライン目を走査するための信号）であるかに応じてレベルの反転するフィールド反転パルスを作成する。このフィールド反転パルスの作成は、図４Ｂ及びＣに示すような、奇数フィールドの原色信号での水平同期信号Ｈと垂直同期信号Ｖとの位相と偶数フィールドの原色信号での水平同期信号Ｈと垂直同期信号Ｖとの位相との相違に基づいて行われる。このフィールド反転パルスも、インターフェース回路５からＰＤＰ１０に供給される。
【００４５】
次に、スキャンコンバータ３内のマイクロコンピュータ１７によって制御されるこの信号処理系の動作について説明する。
図１の各入力端子ｉ１〜ｉ４に入力される映像信号のうちのどの映像信号をこの信号処理系に入力させるかが、図示しない操作スイッチの操作等によって指定されると、マイクロコンピュータ１７は、その指定された映像信号を選択させる制御信号をセレクタ１に与える。
【００４６】
これにより、その指定された映像信号がセレクタ１で選択されて映像処理・色再生回路２に送られるので、その映像信号から作成された原色信号Ｒ，Ｇ，Ｂが、映像処理・色再生回路２からスキャンコンバータ３に送られる。
【００４７】
マイクロコンピュータ１７は、映像処理・色再生回路２から送られた原色信号Ｒ，Ｇ，Ｂの水平走査周波数及び垂直走査周波数を測定し、その測定結果に基づいてこの信号処理系への入力映像信号の走査方式を判別する。
【００４８】
すなわち、水平走査周波数，垂直走査周波数が１５．７５ｋＨｚ，６０Ｈｚや１５．６２５ｋＨｚ，５０Ｈｚであれば、ＶＴＲから出力されたＮＴＳＣ方式やＰＡＬ方式の映像信号（入力端子ｉ１に入力される信号Ｖｉｄｅｏまたは入力端子ｉ２に入力された信号Ｙ／Ｃ）なので、インターレース走査方式の信号であると判別する。
【００４９】
また、水平走査周波数，垂直走査周波数が３１．５ｋＨｚ，６０Ｈｚや３７．９ｋＨｚ，６０Ｈｚや４８．４ｋＨｚ，６０Ｈｚや６４ｋＨｚ，６０Ｈｚであれば、パーソナルコンピュータから出力されるＶＧＡやＳＶＧＡやＸＧＡやＳＸＧＡ方式の映像信号（入力端子ｉ３に入力された信号ＲＧＢ）なので、プログレシブ走査方式の信号であると判別する。
【００５０】
また、水平走査周波数，垂直走査周波数が３３．８ｋＨｚ，６０Ｈｚや３３．８ｋＨｚ，５０Ｈｚであれば、放送局から受信される日本の方式のライン数１１２５本のＨＤＴＶ信号や欧州の方式のライン数１２５０本のＨＤＴＶ信号（入力端子ｉ４に入力された信号ＹＵＶ）なので、インターレース走査方式の信号であると判別する。
【００５１】
また、水平走査周波数，垂直走査周波数がそれぞれ１５．７３４ｋＨｚ，５９．９４Ｈｚや１５．６２５ｋＨｚ，５０Ｈｚであれば、放送局から受信されるＮＴＳＣ方式やＰＡＬ方式の映像信号（入力端子ｉ４に入力された信号ＹＵＶ）なので、インターレース走査方式の信号であると判別する。
【００５２】
なお、水平走査周波数，垂直走査周波数はそれぞれ水平走査期間，垂直走査期間の逆数であり、水平走査期間，垂直走査期間にそれぞれ帰線期間を加えたものが水平走査線期間，垂直走査線期間になるが、この水平走査線期間，垂直走査線期間はそれぞれ水平同期信号Ｈ，垂直同期信号Ｖの繰り返し周期に等しい。したがって、マイクロコンピュータ１７では、例えば、映像処理・色再生回路２で入力映像信号から分離された水平同期信号Ｈ，垂直同期信号Ｖをセレクタ４で選択させ、セレクタ４から送られるこの水平同期信号Ｈ，垂直同期信号Ｖを一定時間カウントすることに基づいて、水平走査周波数，垂直走査周波数を測定することができる。
【００５３】
マイクロコンピュータ１７は、映像処理・色再生回路２から送られた原色信号Ｒ，Ｇ，Ｂがプログレシブ走査方式の信号であると判別した場合、スキャンコンバータ３を前述の変換モード（ａ）で動作させる。この場合にこのプログレシブ走査方式の信号に施される処理は、図２に示した通りである。
【００５４】
また、この場合には、マイクロコンピュータ１７は、インターフェース回路５を制御して、スキャンコンバータ３からインターフェース回路５に送られる水平同期信号Ｈ及び垂直同期信号Ｖの位相に基づいてフィールド反転パルスを作成させる（図４参照）。
【００５５】
他方、映像処理・色再生回路２から送られた原色信号Ｒ，Ｇ，Ｂがインターレース走査方式の信号であると判別した場合にも、マイクロコンピュータ１７は、スキャンコンバータ３をやはり変換モード（ａ）で動作させる。
【００５６】
図５は、インターレース走査方式の原色信号Ｒ，Ｇ，Ｂに対して、変換モード（ａ）によって施される処理を示す図である。原色信号Ｒ，Ｇ，Ｂのそれぞれについて、まず図５Ａに示すように、最初の１フレーム分の信号のうちの奇数フィールドの各ラインＬ１，Ｌ３，…の信号が、各フィールドメモリ１１，１２，１３，１４に１ライン分ずつ交互に取り込まれる。そして、フィールドメモリ１１，１２，１３，１４に取り込んだ４ライン分ずつの信号に重み付けをして補間処理を行うことにより、ＰＤＰ１０の画面の奇数フィールドのラインＬ’１，ラインＬ’３，…ラインＬ’１０２３の位置での映像を示す信号が作成される。
【００５７】
続いて図５Ｂに示すように、最初の１フレーム分の信号のうちの偶数フィールドの各ラインＬ２，Ｌ４，…の信号が、各フィールドメモリ１１，１２，１３，１４に１ライン分ずつ交互に取り込まれる。そして、フィールドメモリ１１，１２，１３，１４に取り込んだ４ライン分ずつの信号に重み付けをして補間処理を行うことにより、ＰＤＰ１０の画面の偶数フィールドのラインＬ’２，ラインＬ’４，…ラインＬ’１０２４の位置での映像を示す信号が作成される。
【００５８】
以下同様にして、奇数フィールド，偶数フィールドの信号毎に、ＰＤＰ１０の画面の奇数フィールド，偶数フィールドのライン位置での映像を示す信号がそれぞれ作成される（すなわち、インターレース走査方式の入力映像信号に対して、フィールド単位でＰＤＰ１０に合わせたライン数変換が行われる）。
【００５９】
ここで、映像処理・色再生回路２から送られるインターレース走査方式の信号がＨＤＴＶ信号（ライン数１１２５本または１２５０本）や倍速変換回路を経たＮＴＳＣ信号（ライン数１０５０本）であるときには、この信号のライン数がＰＤＰ１０のライン数１０２４本に近くなるので、スキャンコンバータ３でのライン数変換比は１に近くなる。図６は、映像処理・色再生回路２から送られるインターレース走査方式の信号のライン数を近似的に１０２４本とみなした（すなわちライン数変換比を１とみなした）場合に、ＰＤＰ１０の画面のどのライン位置での映像を示す信号が作成されるかを示す。
【００６０】
図６Ａに示すように、奇数フィールドのラインＬ１の信号から（すなわち、ラインＬ１以外のラインの信号の重み付けをゼロにして）、ＰＤＰ１０の画面の奇数フィールドのラインＬ’１の位置での映像を示す信号が作成される。同様にして、奇数フィールドのラインＬ３，Ｌ５，…Ｌ１０２３の信号から、ＰＤＰ１０の画面の奇数フィールドのラインＬ’３，Ｌ’５，…Ｌ’１０２３の位置での映像を示す信号が作成される。
【００６１】
また、図６Ｂに示すように、偶数フィールドのラインＬ２の信号から（すなわち、ラインＬ２以外のラインの信号の重み付けをゼロにして）、ＰＤＰ１０の画面の偶数フィールドのラインＬ’２の位置での映像を示す信号が作成される。同様にして、偶数フィールドのラインＬ４，Ｌ６，…Ｌ１０２４の信号から、ＰＤＰ１０の画面の偶数フィールドのラインＬ’４，Ｌ’６，…Ｌ’１０２４の位置での映像を示す信号が作成される。
【００６２】
図５の処理によって変換されたインターレース方式の原色信号Ｒ，Ｇ，Ｂがインターフェース回路５を経てＰＤＰ１０に供給されると、図７に示すように、奇数フィールドの原色信号Ｒ，Ｇ，ＢでＰＤＰ１０の画面のラインＬ’１，ラインＬ’３，…ラインＬ’１０２３が走査され、偶数フィールドの原色信号Ｒ，Ｇ，ＢでＰＤＰ１０の画面のラインＬ’２，ラインＬ’４，…ラインＬ’１０２４が走査される。そして、奇数フィールドの原色信号Ｒ，Ｇ，ＢはラインＬ’１，ラインＬ’３，…ラインＬ’１０２３の位置での映像を示し、偶数フィールドの原色信号Ｒ，Ｇ，ＢはラインＬ’２，ラインＬ’４，…ラインＬ’１０２４の位置での映像を示しているので、ラインＬ’１，ラインＬ’３，…ラインＬ’１０２３に表示される映像とラインＬ’２，ラインＬ’４，…ラインＬ’１０２４に表示される映像とが同じになることはない。
【００６３】
なお、映像処理・色再生回路２から送られた原色信号Ｒ，Ｇ，Ｂがインターレース走査方式の信号であると判別した場合には、マイクロコンピュータ１７は、映像処理・色再生回路２から出力された水平同期信号Ｈ，垂直同期信号Ｖ（すなわち入力映像信号中の水平同期信号Ｈ，垂直同期信号Ｖ）をセレクタ４で選択させることにより、この水平同期信号Ｈ，垂直同期信号Ｖをスキャンコンバータ３及びインターフェース回路５に送らせる。そして、マイクロコンピュータ１７で作成する垂直同期信号Ｖを、この入力映像信号中の垂直同期信号Ｖに同期させる（「Ｖ同期」）。したがって、この場合には、スキャンコンバータ３から出力される原色信号Ｒ，Ｇ，Ｂの垂直走査周波数は、この入力映像信号の垂直走査周波数に一致する。
【００６４】
また、この場合には、マイクロコンピュータ１７は、インターフェース回路５を制御して、スキャンコンバータ３からインターフェース回路５に送られる水平同期信号Ｈ及び垂直同期信号Ｖではなく、セレクタ４からインターフェース回路５に送られる水平同期信号Ｈ及び垂直同期信号Ｖ（すなわち入力映像信号中の水平同期信号Ｈ及び垂直同期信号Ｖ）の位相に基づいてフィールド反転パルスを作成させる（図４参照）。
【００６５】
これは、前述のようにマイクロコンピュータ１７は、インターレース走査方式への変換時には奇数フィールドと偶数フィールドとで、位相差の異なる水平同期信号Ｈ及び垂直同期信号Ｖを作成するが、Ｖ同期をかけると、この位相に影響が及ぶ（例えば両フィールドでこの水平同期信号Ｈと垂直同期信号Ｖとの位相が揃ってしまう）ことにより、スキャンコンバータ３から送られる水平同期信号Ｈ及び垂直同期信号Ｖの位相に基づいては奇数フィールドと偶数フィールドとを区別できなくなる事態が生じ得るからである。
【００６６】
また、この場合には、Ｖ同期をかけたことにより、スキャンコンバータ３からインターフェース回路５を経てＰＤＰ１０に供給される原色信号Ｒ，Ｇ，Ｂの垂直走査周波数が入力映像信号の垂直走査周波数に一致している。また、図５及び図６に示したように、映像処理・色再生回路２から出力された奇数フィールド，偶数フィールドの信号は、スキャンコンバータ３でもそれぞれＰＤＰ１０の画面の奇数フィールド，偶数フィールドの信号に変換される。そして、外部から入力されるインターレース走査方式の映像信号であるＨＤＴＶ方式の映像信号やＮＴＳＣ方式の映像信号でも、周知のように、２：１インターレース走査を行うので、奇数フィールドと偶数フィールドとで水平同期信号及び垂直同期信号の位相が異なっている。したがって、この場合には、入力映像信号中の水平同期信号Ｈと垂直同期信号Ｖとの間の位相差に基づいて正確なフィールド反転パルスを作成することができる。
【００６７】
なお、逆に映像処理・色再生回路２から送られた原色信号Ｒ，Ｇ，Ｂがプログレシブ走査方式の信号である場合には、動画像の追い越しノイズを考慮する必要がないので、Ｖ同期をかけない。したがって、この場合には、スキャンコンバータ３からインターフェース回路５を経てＰＤＰ１０に供給される原色信号Ｒ，Ｇ，Ｂの垂直走査周波数と入力映像信号の垂直走査周波数とが一致しないので、入力映像信号中の水平同期信号Ｈ及び垂直同期信号Ｖの位相に基づいては、現在ＰＤＰ１０に供給中の原色信号Ｒ，Ｇ，Ｂが奇数フィールドの信号か偶数フィールドの信号かを識別するためのフィールド反転パルスを正確に作成することはできない。
【００６８】
また、この場合には、Ｖ同期をかけないので、スキャンコンバータ３からインターフェース回路５に送られる水平同期信号Ｈ及び垂直同期信号Ｖには、奇数フィールドと偶数フィールドとを区別できる位相ずれが存在している。したがって、この場合には、前述のようにスキャンコンバータ３から送られる水平同期信号Ｈ及び垂直同期信号Ｖの位相に基づいて、正確なフィールド反転パルスを作成することができる。
【００６９】
以上のように、この信号処理系においては、インターレース走査方式の映像信号が入力されると、この入力映像信号のうちの奇数フィールド，偶数フィールドの映像信号が、スキャンコンバータ３により、それぞれＰＤＰ１０の画面の奇数フィールド，偶数フィールドの映像信号に変換される。
【００７０】
このように、インターレース走査方式の入力映像信号に対してフィールド単位で変換が行われるので、動きの速い映像をＰＤＰ１０に表示しても、映像がぼけることはない。
【００７１】
そして、奇数フィールド，偶数フィールドの入力映像信号がそれぞれＰＤＰ１０の画面の奇数フィールド，偶数フィールドの映像信号に変換されるので、奇数フィールドの入力映像信号を変換した映像信号と偶数フィールドの入力映像信号を変換した映像信号とが画面上の同じ位置での映像を示す信号になることはなく、その結果、ＰＤＰ１０の画面のラインＬ’１，ラインＬ’３，…ラインＬ’１０２３に表示される映像とラインＬ’２，ラインＬ’４，…ラインＬ’１０２４に表示される映像とが同じになることはない。したがって、ＰＤＰ１０に表示される映像が、隣合う２本のラインに同じ映像が表示されることにより垂直解像度が下がったような映像になってしまうこともない。
【００７２】
しかも、インターレース走査方式の各フィールドの映像信号をプログレシブ走査方式の映像信号として扱うことにより、スキャンコンバータ３の有する変換モードのうちプログレシブ走査方式の映像信号をインターレース方式の映像信号に変換する変換モード（変換モード（ａ））をそのまま用いてインターレース走査方式の入力映像信号を変換するので、インターレース走査方式の入力映像信号用の変換手段を新たに開発する必要もなくなっている。
【００７３】
また、インターレース走査方式の映像信号が入力された場合には、スキャンコンバータ３から出力される映像信号の垂直走査周波数が入力映像信号の垂直走査周波数に一致させられるので、ＰＤＰ１０に表示される映像に、入力映像信号の垂直走査周波数とスキャンコンバータ３から出力される映像信号の垂直走査周波数とのずれを原因とする動画像の追い越しノイズが生じることも防止されている。
【００７４】
また、入力映像信号の水平走査周波数及び垂直走査周波数に基づいてその入力映像信号の走査方式を判別することにより、入力映像信号がプログレシブ走査方式の映像信号であるかインターレース走査方式の映像信号であるかに応じた制御をマイクロコンピュータ１７が誤りなく行うことができるようになっている。
【００７５】
また、インターレース走査方式とプログレシブ走査方式とのいずれの走査方式の映像信号が入力された場合にも、インターフェース回路５で正確なフィールド反転パルスを作成することができるので、このフィールド反転パルスにより、ＰＤＰ１０に供給される映像信号のうちの奇数フィールドの信号と偶数フィールドの信号とをＰＤＰ１０に誤りなく識別させることができるようになっている。
【００７６】
なお、以上の例では、映像処理・色再生回路２から送られた原色信号Ｒ，Ｇ，Ｂの水平走査周波数及び垂直走査周波数に基づいて入力映像信号の走査方式を判別している。しかし、別の例として、各入力端子ｉ１〜ｉ４がそれぞれ特定の規格の映像信号に対応しているので、これらの入力端子ｉ１〜ｉ４のうちのどの入力端子から入力された映像信号をセレクタ１に選択させるかに基づいて、入力映像信号の走査方式を判別するようにしてもよい。
【００７７】
また、プログレシブ走査方式の映像信号は一般には静止画像の信号であるが、５２５プログレシブＴＶ信号（有効ライン数が約４８０本であることから４８０Ｐとも呼ばれる）のように、例外的にプログレシブ走査方式の動画像信号も存在しているので、セレクタ１での選択に基づいて入力映像信号の走査方式を判別する場合には、プログレシブ走査方式の動画像信号を一般のプログレシブ走査方式の映像信号とは異なる入力端子から入力させることにより、その入力端子から入力される映像信号をセレクタ１に選択させた場合には、入力映像信号の走査方式をインターレース走査方式と識別させるようにしてもよい。それにより、プログレシブ走査方式の動画像信号が入力された場合に、インターレース走査方式の映像信号が入力された場合と同じ制御をマイクロコンピュータ１７が行うことができるようになる。
【００７８】
また、以上の例では、プログレシブ走査方式の映像信号をインターレース方式の映像信号に変換する変換モード（変換モード（ａ））以外に、インターレース走査方式の信号に対してフレーム単位でライン数変換を行う変換モード（変換モード（ｂ））やインターレース走査方式の信号に対してフィールド単位でライン数変換及びプログレシブ走査方式への変換を行う変換モード（変換モード（ｃ））を有するスキャンコンバータ３を設けている。しかし、インターレース走査方式の各フィールドの映像信号をプログレシブ走査方式の映像信号として扱って変換モード（ａ）で処理するようにしているので、変換モード（ａ）のみを有するスキャンコンバータを設けてもよいことはもちろんである。
【００７９】
また、以上の例では、スキャンコンバータ３の有する変換モード（ａ）をそのまま用いてインターレース走査方式の入力映像信号を変換しているが、こうした変換モード（ａ）を有するスキャンコンバータを設ける代わりに、インターレース走査方式の入力映像信号のうちの奇数フィールド，偶数フィールドの映像信号をそれぞれインターレース駆動パネルの画面の奇数フィールド，偶数フィールドの映像信号に変換するスキャンコンバータを新たに開発するようにしてもよい。
【００８０】
また、以上の例ではライン数１０２４本のインターレース駆動方式のＰＤＰに本発明を適用しているが、ライン数が１０２４本以外のインターレース駆動方式のＰＤＰにも本発明を適用してよいことはもちろんである。
【００８１】
また、以上の例ではインターレース駆動方式のＰＤＰに本発明を適用しているが、例えばインターレース駆動技術を採用した液晶パネルや有機ＥＬパネル等が将来実現された場合には、それらのインターレース駆動パネルにも本発明を適用してよい。
【００８２】
また、本発明を適用するインターレース駆動パネルは、直視型ディスプレイとして用いられるものと投写型ディスプレイにおいて用いられるものとのいずれであってもよい。
【００８３】
また、本発明は、以上の例に限らず、本発明の要旨を逸脱することなく、その他様々の構成をとりうることはもちろんである。
【００８４】
【発明の効果】
以上のように、本発明に係る請求項１に記載のインターレース駆動パネル用フィールド反転パルス作成装置によれば、本発明が前提とするスキャンコンバータによってインターレース走査方式の入力映像信号とプログレシブ走査方式の入力映像信号とのいずれが変換される場合にも、現在インターレース駆動パネルに供給中の映像信号が奇数フィールドの信号か偶数フィールドの信号かを識別するためのフィールド反転パルスを、正確に作成することができるという効果が得られる。
【００８５】
また、請求項２に記載のインターレース駆動パネル用フィールド反転パルス作成装置によれば、スキャンコンバータへの入力映像信号の走査方式を誤りなく判別してフィールド反転パルスを作成できるという効果も得られる。
【００８６】
また、請求項３に記載のインターレース駆動パネル用フィールド反転パルス作成装置によれば、スキャンコンバータへの入力映像信号の走査方式を誤りなく判別してフィールド反転パルスを作成できるという効果や、プログレシブ走査方式の動画像信号がスキャンコンバータに入力された場合に、インターレース走査方式の映像信号がスキャンコンバータに入力された場合と同じく、入力映像信号中の水平同期信号及び垂直同期信号の位相に基づいて正確なフィールド反転パルスを作成することができるという効果も得られる。
【図面の簡単な説明】
【図１】インターレース駆動方式のＰＤＰに供給する信号を作成する信号処理系の構成例を示すブロック図である。
【図２】図１のスキャンコンバータの有する１つの変換モードでの処理を示す図である。
【図３】図１のスキャンコンバータの有する別の変換モードでの処理を示す図である。
【図４】図１のインターフェース回路で作成されるフィールド反転パルスと、インターレース走査方式の映像信号における水平同期信号及び垂直同期信号の位相とを示す図である。
【図５】インターレース走査方式の映像信号に対する図２の変換モードでの処理を示す図である。
【図６】図５のインターレース走査方式の映像信号に対する図２の変換モードでの処理を示す図である。
【図７】図５の処理で変換された信号によるＰＤＰの画面の走査の様子を示す図である。
【図８】インターレース駆動方式のＰＤＰに供給する必要のある信号を示す図である。
【符号の説明】
１，４  セレクタ、  ２  映像処理・色再生回路、  ３  スキャンコンバータ、  ５  インターフェース回路、  １０  プラズマディスプレイパネル（ＰＤＰ）、  １１，１２，１３，１４  フィールドメモリ、  １５  メモリコントローラ、  １６  デジタルフィルタ、  １７  マイクロコンピュータ
【図１】
0004432154.tif 000002
【図２】
0004432154.tif 000003
【図３】
0004432154.tif 000004
【図４】
0004432154.tif 000005
【図５】
0004432154.tif 000006
【図６】
0004432154.tif 000007
【図７】
0004432154.tif 000008
【図８】
0004432154.tif 000009